(57)【要約】【課題】取付金具を装飾框に固定するためのビスの緩みを、構造上抑制することができる複合サッシの障子を提供することを課題とする。【解決手段】金属框１５の屋内側に装飾框１６を添設して成る框体１４を備えた複合サッシの障子において、金属框１５に装飾框１６を掛止固定するための複数の取付金具６０を備え、各取付金具６０は、自身を装飾框１６にビス止め固定するための金具本体９１と、金属框１５に対し見込み方向への離間を阻止するように掛止される第１掛止片部９２と、装飾框１６に対し見込み方向への離間を阻止するように掛止される第２掛止片部９３とを有している。【選択図】  図４
2004300767.tif 000002
【特許請求の範囲】
【請求項１】
金属框の屋内側に装飾框を添設して成る框体と、前記框体に装着したパネル体とを備えた複合サッシの障子において、
前記金属框に前記装飾框を掛止固定するための複数の取付金具を備え、
前記各取付金具は、自身を前記装飾框にビス止め固定するための金具本体と、前記金属框に対し見込み方向への離間を阻止するように掛止される第１掛止片部と、前記装飾框に対し見込み方向への離間を阻止するように掛止される第２掛止片部とを有していることを特徴とする複合サッシの障子。
【請求項２】
前記第１掛止片部と前記第２掛止片部とは、見付け面内において略同位置に配設されていることを特徴とする請求項１に記載の複合サッシの障子。
【請求項３】
金属框の屋内側に装飾框を添設して成る框体と、前記框体に装着したパネル体とを備え、パネル体装着用の装着溝の屋外側壁部および底壁部を金属框で構成すると共に屋内側壁部を装飾框で構成した複合サッシの障子において、
前記装飾框を構成する装飾上框、装飾下框および両装飾縦框のうち、少なくとも１つの框は、前記金属框の金属縦框に対し、幅方向の一方の端部で掛止されると共に他方の端部で取付金具を介して掛止され、
前記取付金具は、自身を前記装飾縦框にビス止め固定するための金具本体と、前記金属縦框に対し見込み方向への離間を阻止するように掛止される第１掛止片部と、前記装飾縦框に対し見込み方向への離間を阻止するように掛止される第２掛止片部とを有していることを特徴とする複合サッシの障子。
【請求項４】
前記第２掛止片部は、前記幅方向に鈎型形状に延び、
前記第２掛止片部に対応する前記装飾縦框の第２掛止受け部は、前記第２掛止片部の内側と相補的形状に形成されていることを特徴とする請求項３に記載の複合サッシの障子。
【請求項５】
前記第２掛止片部は、前記幅方向において前記装着溝の近傍に配設され、
前記取付金具は、前記屋内側壁部の内面に沿って前記パネル体の呑込み位置まで延在する突出片部を、更に有していることを特徴とする請求項３または４に記載の複合サッシの障子。
【請求項６】
前記框体は、上框の両外端部および下框の両外端部を両縦框の前記装着溝にそれぞれ呑込ませるようにして、縦通しで框組みされ、
前記取付金具は、前記幅方向の端が前記装着溝の溝底から突出しないように形成されていることを特徴とする請求項３、４または５に記載の複合サッシの障子。
【請求項７】
前記取付金具は、前記装飾縦框の長手方向に複数個設けられ、且つ任意の１つの前記取付金具に代えて異形取付金具が設けられ、
前記異形取付金具は、前記装飾縦框の内面にビス止めするため装飾固定片部と、前記金属縦框の底壁部にビス止めするため金属固定片部とを有していることを特徴とする請求項３ないし６のいずれかに記載の複合サッシの障子。
【発明の詳細な説明】
【０００１】
【発明の属する技術分野】
本発明は、金属框の屋内側に装飾框を添設して成る框体と、前記框体に装着したパネル体とを備えた複合サッシの障子に関するものである。
【０００２】
【従来の技術】
従来、アルミニウムの押出し形材で構成した金属框の屋内側に、木質の装飾框（化粧板）を添設して成る框体を備えたこの種の複合サッシュの障子が知られている。この障子では、取付金具を介して金属框に装飾框が掛止固定されており、取付金具は、装飾框の内側に２本のビスでねじ止め固定されると共に、幅方向の両端部に金属框に掛止するための外向き一対の掛止片部を有している。また、パネル体装着用の装着溝は、その屋外側壁部および底壁部が金属框で構成され、屋内側壁部が装飾框で構成されている（例えば、特許文献１参照）。
【０００３】
【特許文献１】
実開昭６２−１９４８９３号のマイクロフィルム（図１および図６）
【０００４】
【発明が解決しようとする課題】
このような従来の障子において、パネル体に加わる風圧力や、金属框と装飾框との熱膨張差に基づくストレスは、一対の掛止片部を金属框から引き離すように見込み方向に作用すると同時に、取付金具を装飾框から引き離すように見込み方向に作用する。このため、風圧力等の強弱が繰り返されると、ビスが緩んで装飾框から抜け落ちるおそれがある。
【０００５】
本発明は、金属框に装飾框を掛止固定するための取付金具において、取付金具を装飾框に固定するためのビスの緩みを、構造上抑制することができる複合サッシの障子を提供することを、その課題としている。
【０００６】
【課題を解決するための手段】
本発明の複合サッシの障子は、金属框の屋内側に装飾框を添設して成る框体と、框体に装着したパネル体とを備えた複合サッシの障子において、金属框に装飾框を掛止固定するための複数の取付金具を備え、各取付金具は、自身を装飾框にビス止め固定するための金具本体と、金属框に対し見込み方向への離間を阻止するように掛止される第１掛止片部と、装飾框に対し見込み方向への離間を阻止するように掛止される第２掛止片部とを有していることを特徴とする。
【０００７】
この構成によれば、取付金具は、その金具本体で装飾框にビス止めされると共に、第１掛止片部で金属框に掛止され且つ第２掛止片部で装飾框に掛止されている。このため、金属框から装飾框を引き離そうとする力が加わった場合に、第１掛止片部と第２掛止片部とが引き合って、この引き離そうとする力に抗する（相殺）こととなり、ビス止め用のビスに大きな力が加わることがない。
【０００８】
この場合、第１掛止片部と第２掛止片部とは、見付け面内において略同位置に配設されていることが、好ましい。
【０００９】
この構成によれば、引き合う第１掛止片部と第２掛止片部により、上記の引き離そうとする力が相殺され、金具本体に偶力（回転モーメント）が生ずることがない。このため、金属框から装飾框を引き離そうとする力が加わっても、ビス止め用のビスにほとんど力が加わることがない。
【００１０】
本発明の他の複合サッシの障子は、金属框の屋内側に装飾框を添設して成る框体と、框体に装着したパネル体とを備え、パネル体装着用の装着溝の屋外側壁部および底壁部を金属框で構成すると共に屋内側壁部を装飾框で構成した複合サッシの障子において、装飾框を構成する装飾上框、装飾下框および両装飾縦框のうち、少なくとも１つの框は、金属框の金属縦框に対し、幅方向の一方の端部で掛止されると共に他方の端部で取付金具を介して掛止され、取付金具は、自身を装飾縦框にビス止め固定するための金具本体と、金属縦框に対し見込み方向への離間を阻止するように掛止される第１掛止片部と、装飾縦框に対し見込み方向への離間を阻止するように掛止される第２掛止片部とを有していることを特徴とする。
【００１１】
この構成によれば、少なくとも装飾框の１つの框、例えば装飾縦框は、金属縦框に対し幅方向の一方の端部で掛止されると共に他方の端部で取付金具を介して掛止されているが、取付金具は、その金具本体で装飾縦框にビス止めされると共に、第１掛止片部で金属縦框に掛止され且つ第２掛止片部で装飾縦框に掛止されている。このため、金属縦框から装飾縦框を引き離そうとする力が加わった場合に、第１掛止片部と第２掛止片部とが引き合って、この引き離そうとする力に抗する（相殺）こととなり、ビス止め用のビスに大きな力が加わることがない。
【００１２】
この場合、第２掛止片部は、幅方向に鉤型形状に延び、第２掛止片部に対応する装飾縦框の第２掛止受け部は、第２掛止片部の内側と相補的形状に形成されていることが、好ましい。
【００１３】
この構成によれば、取付金具の第２掛止片部を装飾縦框の第２掛止受け部にあてがうようにして、取付金具を装飾縦框にビス止めすることにより、装飾縦框に対し取付金具を位置決めした状態で固定することができる。このため、装飾縦框にビス用の下穴等を形成することなく、取付金具を装飾縦框に精度良くビス止めすることができる。
【００１４】
これらの場合、第２掛止片部は、幅方向において装着溝の近傍に配設され、取付金具は、屋内側壁部の内面に沿ってパネル体の呑込み位置まで延在する突出片部を、更に有していることが、好ましい。
【００１５】
この構成によれば、風圧力等により、装着溝を構成する装飾縦框の屋内側壁部が破損しても、取付金具の突出片部がパネル体の呑込み位置まで延在しているため、パネル体が装着溝から脱落するのを防止することができる。
【００１６】
これらの場合、框体は、上框の両外端部および下框の両外端部を両縦框の装着溝にそれぞれ呑込ませるようにして、縦通しで框組みされ、取付金具は、幅方向の端が装着溝の溝底から突出しないように形成されていることが、好ましい。
【００１７】
この構成によれば、框体の上框および下框と両縦框とを框組みするときに、取付金具の一部が邪魔になることがない。このため、装飾上框（上框）或は装飾下框（下框）の位置に、取付金具を配置することが可能になる。
【００１８】
これらの場合、取付金具は、装飾縦框の長手方向に複数個設けられ、且つ任意の１つの取付金具に代えて異形取付金具が設けられ、異形取付金具は、装飾縦框の内面にビス止めするため装飾固定片部と、金属縦框の底壁部にビス止めするため金属固定片部とを有していることが、好ましい。
【００１９】
この構成によれば、異形取付金具が、装飾縦框の内面にビス止めされると共に金属縦框の底壁部にビス止めされるため、金属縦框に対する装飾縦框の長手方向への位置ずれを有効に防止することができる。
【００２０】
【発明の実施の形態】
以下、添付図面を参照して、本発明の一実施形態に係る障子を備えた複合サッシである引違い窓について説明する。この引違い窓は、屋内側の見えがかり部分に木質材を組み込み且つ屋内外の中間に断熱材をサンドイッチしたものであり、屋内側の意匠性を考慮すると共に、屋内外間の断熱性を考慮したものである。図１ないし図３に示すように、引違い窓１は、窓枠２に、屋外側の外障子３、屋内側の内障子４および網戸５を開閉自在に組み込んで構成されている。
【００２１】
窓枠２は、アルミニウム形材の金属枠１１と、金属枠１１の屋内側に添設した木質材の装飾枠１２とで構成され、また金属枠１１は、中間に樹脂製の断熱材１３を挟んで外側金属枠１１Ａと内側金属枠１１Ｂとで構成されている。一方、内外各障子３，４は、アルミニウム形材の金属框１５と、金属框１５の屋内側に添設した木質材の装飾框１６と、これら框体１４に組み込んだ複層ガラス等のパネル体１７で構成されている。
【００２２】
外側金属枠１１Ａは、外側金属上枠２１、外側金属下枠２２および左右の両外側金属縦枠２３，２３を方形に枠組みして構成されている。外側金属上枠２１には、下向きの外側上レール２４および網戸上レール２５が形成され、外側金属下枠２２には、上向きの外側下レール２６および網戸下レール２７が形成されている。同様に、内側金属枠１１Ｂは、内側金属上枠２９、内側金属下枠３０および左右の両内側金属縦枠３１，３１を方形に枠組みして構成されている。内側金属下枠３０には、上向きの内側下レール３２が形成されている。
【００２３】
また、外側金属上枠２１の外側上レール２４の位置から内側金属上枠２９に渡すように樹脂上カバー枠３４が設けられ、また断熱材１３を跨ぐように樹脂上カバー枠３４の下面に金属カバー枠３５が設けられている。そして、抱き合わせるようにして垂設した樹脂上カバー枠３４の垂下片と金属カバー枠３５の垂下片とにより、下向きの内側上レール３６が形成されている。同様に、断熱材１３を跨いで外側金属下枠２２および内側金属下枠３０間に渡すように、樹脂中間カバー枠３７が設けられ、また内側下レール３２から屋内側端までの内側金属下枠３０の上面を覆うように樹脂下カバー３８が設けられている。
【００２４】
装飾枠１２は、装飾上枠４１、左装飾縦枠４２および右装飾縦枠４３を三方枠組みして構成されている。装飾上枠４１は、下側から内側金属上枠２９の屋内側にねじ止め固定されている。左装飾縦枠４２は幅広に形成され、左側の内側金属縦枠３１にねじ止め固定され、右装飾縦枠４３は、右側の内側金属縦枠３１の屋内側にねじ止め固定されている。
【００２５】
一方、内外各障子３，４の金属框１５は、金属上框５１、金属下框５２、金属戸先縦框５３および金属召合せ縦框５４を方形に框組みして構成されている。同様に、装飾框１６は、装飾上框５６、装飾下框５７、装飾戸先縦框５８および装飾召合せ縦框５９を方形に框組みして構成されている。但し、外障子３の装飾召合せ縦框は省略され、内障子４の装飾召合せ縦框５９は、断面略「Ｌ」字状に形成され金属召合せ縦框５４の端面も覆っている。
【００２６】
次に、図４を参照して、装飾框１６の金属框１５への取付構造を、装飾戸先縦框５８および金属戸先縦框５３を例に説明する。装飾戸先縦框５８は、金属戸先縦框５３に対し、幅方向の一方の端部で掛止されると共に他方の端部で取付金具６０を介して掛止されている。また、装飾戸先縦框５８および金属戸先縦框５３の見込み方向の内端部には、パネル体１７装着用の装着溝６１が形成され、この装着溝６１にガスケット６２を介してパネル体１７が装着されている。取付金具６０は、装飾戸先縦框５８および金属戸先縦框５３の長手方向に複数個設けられており、最下端のものが、同図（ｂ）に示す異形取付金具６０Ａとなっている。
【００２７】
金属戸先縦框５３は、本体中空部７１と、本体中空部７１の屋外側から見付け方向のパネル体１７側に延びる屋外側壁部７２と、本体中空部７１から延び戸先呑込み溝を構成する屋外側のシール取付片７３および屋内側の内突片７４と、内突片７４から「Ｌ」字状に延びる引掛け片７５と、本体中空部７１のパネル体１７側から見込み方向に突出する金具掛止片７６と、で一体に形成されている。金具掛止片７６は、「Ｌ」字状の大突起部位７６ａと、大突起部位７６ａに対峙する小突起部位７６ｂとから成り、大突起部位７６ａと小突起部位７６ｂとで構成される掛止溝７６ｃ内に後述する取付金具６０の第１掛止片部９２が掛止されるようになっている。そして、屋外側壁部７２と本体中空部７１の内端壁（底壁部）７１ａと後述する装飾戸先縦框５８の薄肉部（屋内側側壁部）８２とにより、上記パネル体１７の装着溝６１が構成されている。
【００２８】
装飾戸先縦框５８は、框本体８１と、装着溝６１の屋内側壁８２ａを構成する薄肉部８２とから成り、框本体８１の外端部に断面三角形に切欠いた掛止窪み部８４が形成され、薄肉部８２の基部に框本体８１側に彫り込んだ金具掛止窪み部８５が形成されている。そして、取付金具６０は、金属戸先縦框５３の金具掛止片７６と装飾戸先縦框５８の金具掛止窪み部８５との間に介設されている。
【００２９】
図５に示すように、取付金具６０は、アルミニウムの形材で構成されており、固定ビス用の２つの貫通孔９１ａ，９１ａを有する金具本体９１と、金属戸先縦框５３の金具掛止片（掛止溝７６ｃ）７６に掛止される第１掛止片部９２と、装飾戸先縦框５８の金具掛止窪み部８５に掛止される第２掛止片部９３と、で一体に形成されている。金具本体９１および第２掛止片部９３は、装飾戸先縦框５８側に固定および掛止される部位であり、平面視、同長に形成されている。第１掛止片部９２は、金属戸先縦框５３側に掛止される部位であり、平面視、金具本体９１より短く形成されている。また、第１掛止片部９２と第２掛止片部９３とは、見付け面内において略同位置に配設されている。
【００３０】
第１掛止片部９２は、横「Ｔ」字状に形成され、金具本体９１の端部から見込方向に突出している。そして、この第１掛止片部９２は、金具掛止片（掛止溝７６ｃ）７６に小口側から挿入されるようにして装着される。これにより、金属戸先縦框５３に対し取付金具６０は、見付け方向に不動に且つ見込み方向への離間を阻止するように掛止される。同様に、第２掛止片部９３は、金具本体９１の端部から見付け方向に鉤型形状、すなわち略横「Ｊ」字状に延び、その先端部９３ａを金具掛止窪み部８５に挿入するようにして、相補的形状に形成した框本体８１の端部（第２掛止受け部）８１ａに掛止されている。そしてこの場合も、第２掛止片部９３の先端部９３ａが金具掛止窪み部８５に挿入されることで、装飾戸先縦框５８に対し取付金具６０は、見込み方向への離間を阻止するように掛止される。また、取付金具６０は、装飾戸先縦框５８に対しその框本体８１の端部８１ａに位置決めした状態で、これにビス止めすることができる。
【００３１】
このように構成された取付金具６０は、第２掛止片部９３を框本体８１の端部８１ａにあてがうように位置決めし、金具本体９１を貫通して固定ビス９４を螺合することにより、装飾戸先縦框５８の裏側に固定される。そして、取付金具６０を取り付けた装飾戸先縦框５８は、第１掛止片部９２を金具掛止片７６に位置決めし且つ掛止窪み部８４を引掛け片７５に位置決めした状態で、金属戸先縦框５３の小口から挿入装着される。一方、この状態では、金属戸先縦框５３に対し装飾戸先縦框５８が長手方向に位置ずれする可能性がある。そこで、最下位に位置する取付金具には異形取付金具６０Ａが用いられている。
【００３２】
図４（ｂ）および図６に示すように、異形取付金具６０Ａは、ステンレスのプレス成型品であり、固定ビス用の１つの貫通孔１０１ａを有する装飾固定片部１０１と、金属戸先縦框５３おける本体中空部７１の内端壁（底壁部）７１ａにビス止めされる金属固定片部１０２と、で断面「Ｌ」字状に一体に形成されている。装飾固定片部１０１に対し金属固定片部１０２は、平面視、長く形成されており、金属固定片部１０２には左右の対称位置にタッピングビス１０３用の２つの貫通孔１０２ａが形成されている。
【００３３】
このように構成された異形取付金具６０Ａは、その装飾固定片部１０１を框本体８１の内側端部にあてがった状態で固定ビス１０４により固定され、上記のように装飾戸先縦框５８を金属戸先縦框５３の小口から挿入装着した後、タッピングビス１０３を装着溝６１内から金属固定片部１０２を貫通して本体中空部７１に螺合することにより、固定される。しかして、異形取付金具６０Ａを金属戸先縦框５３にビス止めするようにしているため、小口から挿入装着した装飾戸先縦５８框の長手方向へのずれを防止することができる。
【００３４】
以上のように、実施形態の取付金具６０は、金具本体９１で装飾戸先縦框５８にビス止めされると共に、第１掛止片部９２で金属戸先縦框５３の金具掛止片７６に掛止され且つ第２掛止片部９３で装飾戸先縦框５８の金具掛止窪み部８５に掛止されているため、金属戸先縦框５３から装飾戸先縦框５８を引き離そうとする力が加わった場合に、第１掛止片部９２と第２掛止片部９３とが引き合って、この引き離そうとする力に抗する（相殺）こととなり、固定ビス９４に大きな力が加わることがない。すなわち、風圧力等により取付金具６０に外力が加わっても、これに基づく固定ビス９４を引き抜く力を極力軽減することができる。
【００３５】
また、第１掛止片部９２と第２掛止片部９３とが、見付け面内において略同位置に配設されているため、相互に引き合う第１掛止片部９２と第２掛止片部９３により、上記の引き離そうとする力が相殺され、金具本体９１に偶力（回転モーメント）が生ずることがない。このため、金属戸先縦框５３から装飾戸先縦框５８を引き離そうとする力が加わっても、固定ビス９４にほとんど引抜き力が加わることがない。したがって、固定ビス９４に緩みが生ずるのを有効に防止することができる。また、取付金具６０は、金属戸先縦框５３に掛止めされているだけなので、装飾戸先縦框５８と金属戸先縦框５３との間の長手方向へのスライドは許容される。このため、両戸先縦框５８，５３間の熱膨張に基づくストレスはこのスライド移動で吸収される。もっとも、異形取付金具６０Ａにより、両戸先縦框５８，５３が長手方向に大きくずれることはない。
【００３６】
次に、図７ないし図９を参照して、第２実施形態に係る取付金具６０Ｋ、第３実施形態に係る取付金具６０Ｌおよび第４実施形態に係る取付金具６０Ｍについて説明する。図７に示すように、第２実施形態に係る取付金具６０Ｋは、第１実施形態の取付金具６０と同様に、金具本体９１、第１掛止片部９２および第２掛止片部９３とを有すると共に、第２掛止片部９３の先端部から装飾戸先縦框５８の薄肉部８２に沿って、パネル体１７の呑込み位置まで延在する突出片部１１１を一体に有している。これにより、パネル体１７に加わる風圧力などにより、装着溝６１の屋内側壁８２ａを構成する薄肉部８２が欠損しても、この突出片部１１１により、パネル体１７の脱落が防止される。
【００３７】
図８に示すように、第３実施形態に係る取付金具６０Ｌは、第１実施形態の取付金具６０と同様に、金具本体９１、第１掛止片部９２および第２掛止片部９３とを有している。但し、この場合には、金属戸先縦框５３おける本体中空部７１の内端壁（底壁部）７１ａ表面と、第２掛止片部３の表面とが略面一に配設されている。すなわち、第２掛止片部９３が、内端壁（底壁部）７１ａの表面から突出しないように配設されている。
【００３８】
特に、図示しないが、本実施形態の框体１４は、いわゆる縦通しで框組みされており、金属戸先縦框５３および装飾戸先縦框５８により構成された装着溝６１に、金属上框５１および装飾上框５６から成る上框の端部が、また金属下框５２および装飾下框５７から成る下框の端部が挿入されるようにして框組みされる。このため、上記実施形態のように、第２掛止片部９３が、内端壁（底壁部）７１ａの表面から突出しないように配設されていれば、取付金具６０Ｌが框組みの邪魔になることがなく、取付金具６０Ｌを上框或は下框の位置に取り付けることも可能になる。
【００３９】
図９に示すように、第３実施形態に係る取付金具６０Ｍは、第１実施形態の取付金具６０と同様に、金具本体９１、第１掛止片部９２および第２掛止片部９３とを有している。この場合には、第１掛止片部９２が単純なフック形状に形成され、またこれに対応して金属戸先縦框５３の金具掛止片７６もフック形状に形成されている。このような単純な構造であっても、上記の効果を達成することができる。
【００４０】
なお、図２に示すように、金属上框５１に装飾上框５６を取り付ける部分、および金属下框５２に装飾下框５７を取り付ける部分では、樹脂製の取付ブロック６５を用いるようにしている（小口から挿入装着）が、これに代えて上記の取付金具６０を用いるようにしてもよい。また、上記実施形態の取付金具６０において、金具本体９１の両側に第１掛止片部９２および第２掛止片部９３を形成した形態とすれば、掛止窪み部８４および引掛け片７５を省略することができる。
【００４１】
【発明の効果】
以上のように、本発明の複合サッシの障子によれば、パネル体に加わる風圧力や熱膨張差に基づくストレス等により装飾框に金属框から引き離そうとする力が加わっても、取付金具を装飾框にビス止めするためのビスに大きな力が作用することがない。したがって、ビスの緩みが抑制され、装飾框の脱落を有効に防止することができる。
【図面の簡単な説明】
【図１】本発明の一実施形態に係る引違い窓の姿図である。
【図２】実施形態に係る引違い窓の縦断面図である。
【図３】実施形態に係る引違い窓の横断面図である。
【図４】装飾戸先縦框の金属戸先縦框への取付構造を示す拡大横断面図である。
【図５】取付金具の構造図である。
【図６】異形取付金具の構造図である。
【図７】第２実施形態に係る取付金具廻りの拡大横断面図である。
【図８】第３実施形態に係る取付金具廻りの拡大横断面図である。
【図９】第４実施形態に係る取付金具廻りの拡大横断面図である。
【符号の説明】
１  引違い窓、２  窓枠、３  外障子、４  内障子、１１  金属枠、１２  装飾枠、１４  框体、１５  金属框、１６  装飾框  １７  パネル体、５１  金属上框、５２  金属下框、５３  金属戸先縦框、５４  金属召合せ縦框、５６  装飾上框、５７  装飾下框、５８  装飾戸先縦框、５９  装飾召合せ縦、６０  取付金具、６０Ａ  異形取付金具、６０Ｋ  取付金具、６０Ｌ  取付金具、６０Ｍ取付金具、６１  装着溝、７１ａ  内端壁、７２  屋外側壁部、７５  引掛け片、７６  金属掛止片、８１ａ  端部、８２  薄肉部、８２ａ  屋内側壁、８４掛止窪み部、８５  金属掛止窪み部、９１  金具本体、９２  第１掛止片部、９３  第２掛止片部、９４  固定ビス、１０１  装飾固定片部、１０２  金属固定片部、１０４  タッピングビス、１１１  突出片部
【図１】
2004300767.tif 000003
【図２】
2004300767.tif 000004
【図３】
2004300767.tif 000005
【図４】
2004300767.tif 000006
【図５】
2004300767.tif 000007
【図６】
2004300767.tif 000008
【図７】
2004300767.tif 000009
【図８】
2004300767.tif 000010
【図９】
2004300767.tif 000011